(57)【要約】      （修正有）【課題】計測内表面の内径を簡単に校正できるねじリングゲージを提供する。【解決手段】本体１には、内環状面１３と外環状面１４が設けられ、内環状面１３にはねじ山が計測内表面の内径Ｄとして形成される。内環状面１３と外環状面１４との間に隙間が形成されることにより、第一および第二ブロック１１および１２には第一および第二孔１５および１６がそれぞれ設けられる。調整部材２は第一孔１５と第二孔１６に穿設され、調整部材２は隙間１０を広げたり狭めたりして調整される。収容溝３の一端は内環状面１３に深く入りかつ内環状面１３に近接するように形成され、収容溝３の他端は外環状面１４に向けて延伸するように開口が形成される。ブロックゲージ４ｅは二個の位置決め溝３ｅの間に収容される。【選択図】図１
0003154928.tif 000002
【実用新案登録請求の範囲】
【請求項１】
本体（１）、少なくとも一個の調整部材（２）、二個の位置決め溝（３ｅ）および少なくとも一個のブロックゲージ（４ｅ）を有するねじリングゲージにおいて、本体（１）には内環状面（１３）と外環状面（１４）が設けられ、内環状面（１３）にはねじ山が設けられて計測内表面の内径（Ｄ）として形成され、内環状面（１３）と外環状面（１４）との間には隙間（１０）が形成されることによって第一ブロック（１１）と第二ブロック（１２）が形成され、そして第一ブロック（１１）と第二ブロック（１２）の末端の端面から隙間（１０）が形成され、第一ブロック（１１）には少なくとも一個の第一孔（１５）が設けられ、第二ブロック（１２）には少なくとも一個の第二孔（１６）が設けられ、第一孔（１５）と第二孔（１６）は同じ軸心線上において第一ブロック（１１）と第二ブロック（１２）の末端の端面を貫穿するように形成され、さらに少なくとも一個の孔（１６）が外環状面（１４）を貫穿するように形成され、少なくとも一個の調整部材（２）が第一孔（１５）と第二孔（１６）に穿設され、調整部材（２）は隙間（１０）そのものの両末端を遠ざけさせたり近寄らせたりして調整して固定するのに用いられ、二個の位置決め溝（３ｅ）が本体（１）の両末端に設置されることによって収容溝（３）として形成され、収容溝（３）の一端は内環状面（１３）に深く入りかつ内環状面（１３）に近接するように形成され、収容溝（３）の他端は外環状面（１４）に向けて延伸するように開口が形成され、少なくとも一個のブロックゲージ（４ｅ）が二個の位置決め溝（３ｅ）の間に収容されることを特徴とするねじリングゲージ。
【請求項２】
位置決め溝（３ｅ）はそれぞれ二個の平面から角度を有するように設置されることを特徴とする請求項１記載のねじリングゲージ。
【請求項３】
ブロックゲージ（４ｅ）は円形柱からなることを特徴とする請求項１または２記載のねじリングゲージ。
【請求項４】
ブロックゲージ（４ｅ）は一定の軸方向の長さを有し、上記長さは収容溝（３）の深さより小さくなるように形成されることを特徴とする請求項１または２記載のねじリングゲージ。
【請求項５】
ブロックゲージ（４ｆ）には貫穿孔（４１）が設けられ、貫穿孔（４１）は本体（１）の第一孔（１５）と第二孔（１６）に対応するように形成され、貫穿孔（４１）は調整部材（２）が通過するのに用いられることを特徴とする請求項１または２記載のねじリングゲージ。
【考案の詳細な説明】
【技術分野】
【０００１】
本考案は、ねじリングゲージに関するもので、特に計測内表面の内径を縮小することができるねじリングゲージに係るものである。
【背景技術】
【０００２】
従来のねじリングゲージとしては、リングゲージ本体に設けられる計測内表面の計測ねじによってねじまたはボルトのねじ山が規格に符合しているか否かを検査するため、上記ねじリングゲージの精密度は極高く、そしてねじリングゲージの計測内表面の内径は固定寸法の方式と計測内表面の内径を縮小できる方式に分けられる。その中、上記固定寸法の方式のねじリングゲージでは、本体において予め必要とする寸法の内計測ねじを加工するもので、上記固定寸法の方式のねじリングゲージではその内計測ねじを変えることができず、しかも、計測内表面のねじ山、内径が長時間の使用により摩損してしまうため、ねじリングゲージの内径が大きくなって使用できなくなってしまう。
【０００３】
また、従来のねじリングゲージの計測内表面の内径を縮小できる方式としては、例えばアメリカ特許第１，４４７，４４８号「フラッシュピンを有するねじリングゲージ（thread ring gauge with flush pin）」（特許文献１を参照）があり、そこにおいて、ねじリングゲージには調整可能な隙間本体とスリーブが含まれる。上記隙間本体には計測内表面が形成され、上記計測内表面は計測しようとする物品と接触するのに用いられる。上記スリーブは隙間本体の両末端の二個の孔の中に緊密に結合するように設置されることにより、上記孔が相対的に横方向へ移動するのを避けることができる。上記ねじリングゲージには他に上記スリーブと位置合せして排列するような装置が含まれ、上記装置は部分的に上記スリーブに伸入することにより、上記隙間本体の両末端を遠ざけさせたり近寄らせたりすることができるようにとしたものがある。
【０００４】
このような計測内表面の内径を縮小できる方式のねじリングゲージを使用する時、通常、先ず調整螺桿を調整することによってねじリングゲージ本体の計測内表面の内径を校正し、そしてねじリングゲージの計測内表面の内径が計測しようとする寸法に符合するまで調整し続けた後、再び上記隙間に蝋を注入した後、固化した蝋によって上記調整螺桿を所定位置に確定させる。そして固化した蝋にひび割れが生じた時、それによって上記ねじリングゲージ本体の計測内表面の内径が所定の寸法ではなくなったことを判断することができるため、上記ねじリングゲージ本体の計測内表面の内径を新たに校正しなければならない。上記固化した蝋は極めて脆いため、或いは衝撃によって脱落したり温度が変化したりすることにより、上記固化した蝋にひび割れが生じた時、上記ねじリングゲージ本体の計測内表面の内径を新たに校正しなければ、製造されたねじまたはボルトは規格に符合しなくなるという虞が生じてしまう。
【先行技術文献】
【特許文献】
【０００５】
【特許文献１】アメリカ公告第１、４４７、４４８号
【考案の概要】
【考案が解決しようとする課題】
【０００６】
上述した従来の固定寸法の方式のねじリングゲージでは、その寿命が限られ、そして相対的にねじリングゲージのコストも比較的高くなるという問題点を有する。そして、上記計測内表面の内径を縮小できる方式のねじリングゲージにあっては、ねじリングゲージ本体の計測内表面の内径が校正の寸法に符合している否かを判断するために用いられる固化した蝋が極めて脆いため、固化した蝋にひび割れが生じた時、再び校正を行って上記ねじリングゲージ本体の計測内表面の内径を確認しなければならない。また、上記ねじリングゲージ本体の計測内表面の内径を校正するための公差が極めて微小であり、通常としては約８μであるため、その調整が難しいという問題点を有する。このように、上記のような従来のねじリングゲージはさらに改良する必要がある。
【０００７】
本考案はこのような問題点に鑑みて考案したものであって、その第一の目的とするところは、ねじリングゲージ本体の計測内表面の内径を簡単に校正することができるねじリングゲージを提供しようとするものである。
【０００８】
本考案の第二の目的とするところは、ねじリングゲージの計測内表面の内径を一つの校正寸法に固定することができるねじリングゲージを提供しようとするものである。
【０００９】
本考案の第三の目的とするところは、ねじリングゲージの計測内表面の内径を繰り返して校正することにより、ねじリングゲージが比較的長い使用寿命を有し、それにより、ねじリングゲージのコストを低く抑えることができるねじリングゲージを提供しようとするものである。
【００１０】
本考案の第四の目的とするところは、ねじリングゲージの調整部材の調整が行い易いねじリングゲージを提供しようとするものである。
【００１１】
本考案の第五の目的とするところは、ねじリングゲージの両端に軸方向への偏移が生じるのを避けることができるねじリングゲージを提供しようとするものである。
【００１２】
本考案の第六の目的とするところは、置き入れられるブロックゲージが予定の位置に確実に位置決めされることにより、ブロックゲージが偏ったり脱落したりするのを防止することができるねじリングゲージを提供しようとするものである。
【課題を解決するための手段】
【００１３】
上記目のを達成するために、本考案によるねじリングゲージは、本体、少なくとも一個の調整部材、二個の位置決め溝および少なくとも一個のブロックゲージを有する。本体には内環状面と外環状面が設けられ、内環状面にはねじ山が設けられて計測内表面の内径Ｄとして形成される。内環状面と外環状面との間には隙間が形成されることによって第一ブロックと第二ブロックが形成され、そして第一ブロックと第二ブロックの末端の端面から隙間が形成される。第一ブロックには少なくとも一個の第一孔が設けられ、第二ブロックには少なくとも一個の第二孔が設けられる。第一孔と第二孔は同じ軸心線上において第一ブロックと第二ブロックの末端の端面を貫穿するように形成され、さらに少なくとも一個の孔は外環状面を貫穿するように形成される。少なくとも一個の調整部材は第一孔と第二孔に穿設され、調整部材は隙間そのものの両末端を遠ざけさせたり近寄らせたりして調整して固定するのに用いられる。二個の位置決め溝は本体の両末端に設置されることによって収容溝として形成される。収容溝の一端は内環状面に深く入りかつ内環状面に近接するように形成され、収容溝の他端は外環状面に向けて延伸するように開口が形成される。少なくとも一個のブロックゲージは二個の位置決め溝の間に収容される。
【００１４】
また、本考案によるねじリングゲージは、位置決め溝はそれぞれ二個の平面から角度を有するように設置することもできる。また、ブロックゲージは円形柱からなることもできる。また、ブロックゲージは一定の軸方向の長さを有し、長さは収容溝の深さより小さくなるように形成することもできる。ブロックゲージに貫穿孔を設け、貫穿孔が本体の第一孔と第二孔に対応するように形成し、貫穿孔は調整部材が通過するのに用いられることもできる。
【考案の効果】
【００１５】
本考案のねじリングゲージによれば、ねじリングゲージ本体の計測内表面の内径を簡単に校正することができるという利点がある。
【００１６】
本考案のねじリングゲージによれば、ねじリングゲージの計測内表面の内径を一つの校正の寸法に固定することができるという利点がある。
【００１７】
本考案のねじリングゲージによれば、ねじリングゲージの計測内表面の内径を繰り返して校正することにより、ねじリングゲージは比較的長い使用寿命を有するため、ねじリングゲージのコストを低く抑えることができるという利点がある。
【００１８】
本考案のねじリングゲージによれば、ねじリングゲージの調整部材が調整し易くなるという利点がある。
【００１９】
本考案のねじリングゲージによれば、ねじリングゲージの両端に軸方向への偏移が生じるのを避けることができるという利点がある。
【００２０】
本考案のねじリングゲージによれば、置き入れられるブロックゲージが予定の位置に確実に位置決めされることにより、ブロックゲージが偏ったり脱落したりするのを防止することができるという利点がある。
【図面の簡単な説明】
【００２１】
【図１】本考案の実施例１によるねじリングゲージの分解斜視図である。
【図２】本考案の実施例１によるねじリングゲージの側面図である。
【図３】本考案の実施例１によるねじリングゲージの組み立てられた状態の側面図である。
【図４】図３のＡ−Ａ線に沿った断面図である。
【図５】本考案の実施例２によるねじリングゲージの分解斜視図である。
【図６】本考案の実施例２によるねじリングゲージの側面図である。
【図７】本考案の実施例２によるねじリングゲージの組み立てられた状態の側面図である。
【図８】本考案の第３実施例によるねじリングゲージの分解斜視図である。
【図９】本考案の第３実施例によるねじリングゲージの組み立てられた状態の側面図である。
【考案を実施するための形態】
【００２２】
本考案の実施の形態について、以下、図面を参照して説明する。
【実施例１】
【００２３】
図１は本考案の実施例１によるねじリングゲージの分解斜視図で、図２は本考案の実施例１によるねじリングゲージの側面図で、図３は本考案の実施例１によるねじリングゲージの組み立てられた状態の側面図である。図１、２、３を参照すると、本考案の実施例１のねじリングゲージには本体１、調整部材２、少なくとも一個の位置決め溝３ｅおよび少なくとも一個のブロックゲージ４ｅが含まれる。
【００２４】
本体１には隙間１０、第一ブロック１１、第二ブロック１２、内環状面１３、外環状面１４、第一孔１５と一第二孔１６が設けられる。本体１には隙間１０から第一ブロック１１と第二ブロック１２が形成され、隙間１０は第一ブロック１１と第二ブロック１２との末端の端面の間において隙間Ｐが形成される。内環状面１３には計測内表面の内径Ｄが形成され、内環状面１３には、計測しようとする物品が接触して検査するためのねじ山が設置される。外環状面１４は本体１の外周面に位置するように形成される。第一孔１５は第一ブロック１１の端面に設けられ、第二孔１６は第二ブロック１２の端面に設けられ、そして二個の孔１５、１６は同じ軸心線上において対応するように形成される。本実施例において第一孔１５は好ましくは選択的にねじ山を有するめくら孔からなり、そして当然として選択的に貫通孔からなることもできる。第二孔１６は本体１の第二ブロック１２に設けられ、そして第二孔１６は第二ブロック１２の端面と外環状面１４を貫穿して連通するように形成される。
【００２５】
本実施例において、本体１には好ましくは他に少なくとも一個の緩衝スリット１７が設けられる。緩衝スリット１７は本体１の内環状面１３から径方向へ延伸して本体１の外環状面１４まで及ばないように形成され、そして緩衝スリット１７は軸方向へ本体１を貫穿するように形成される。例えば、本実施例において本体１には好ましくは選択的に二個の緩衝スリット１７が設けられ、そして当然として選択的にその他の数の緩衝スリット１７を設けることができる。このように、本体１に対して径方向へ収縮する力を加えると、本体１の計測内表面の内径Ｄが径方向へ収縮された時、さらに均一の円形が形成される。
【００２６】
再び図１、２、３を参照すると、本考案の調整部材２は第二孔１６を貫穿し、そして第一孔１５に結合される。例えば、本実施例の調整部材２には結合端２１と作動端２２が含まれる。結合端２１の外周面に第一孔１５と対応して螺合するためのねじ山が設けられることにより、調整部材２は結合端２１によって第二孔１６を貫穿し、そして作動端２２によって工具を利用して回転するように駆動される。これにより、調整部材２の結合端２１を第一孔１５に螺合することができるため、本体１に設けられる隙間１０の両末端を遠ざけさせたり近寄らせたりすることができる。
【００２７】
再び図１、２、３を参照すると、本考案の実施例１においては選択的に二個の位置決め溝３ｅが設けられる。二個の位置決め溝３ｅはそれぞれ本体１において第一ブロック１１と第二ブロック１２を形成する二個の端面に凹設される。二個の位置決め溝３ｅの一端は内環状面１３に深の入りかつ内環状面１３に近接するように形成される。二個の位置決め溝３ｅの他端は外環状面１４に向けて延伸するように開口が形成される。二個の位置決め溝３ｅはそれぞれ二個の平面から角度を有するように設置されることにより、二個の位置決め溝３ｅと二個の位置決め溝３ｅの間に位置する隙間は共同で収容溝３を形成する。本考案の実施例１において、収容溝３の形状は矩形に近似した形状に形成される。
【００２８】
図４は図３のＡ−Ａ線に沿った断面図である。図４を参照すると、本考案の実施例１の少なくとも一個のブロックゲージ４ｅは収容溝３の内に収容され、少なくとも一個のブロックゲージ４ｅは所定の径方向の寸法を有するように形成される。本実施例において、少なくとも一個のブロックゲージ４ｅは選択的に円柱形に形成され、そして少なくとも一個のブロックゲージ４ｅは所定の直径Ａ１を有するように形成される。さらに少なくとも一個のブロックゲージ４ｅの所定の直径を各種の異なる寸法に設けることができ、例えば等間隔で少しずつ減らすようなＡ２、Ａ３…等の設計を行うことができる。
【００２９】
再び図２、４を参照すると、本考案の実施例１のねじリングゲージを使用する時、所定の直径Ａ１を有する少なくとも一個のブロックゲージ４ｅを二個の位置決め溝３ｅと二個の位置決め溝３ｅの間に位置する隙間が共同で形成する収容溝３の内に置き入れ、そして調整部材２の結合端２１を第二孔１６に貫穿し、さらに作動端２２を駆動することによって結合端２１を第一孔１５に螺合することにより、隙間Ｐはだんだんと縮小し、直径Ａ１を有するブロックゲージ４ｅが二個の位置決め溝３ｅの間に堅固に挟持されるまで縮小し続ける。そして調整部材２が回転することができなくなると、ねじリングゲージの内環状面１３において計測内表面の内径Ｄが形成される。本実施例において、少なくとも一個のブロックゲージ４ｅは調整部材２の下方（図３の位置関係で）に位置するように形成されるため、調整部材２は容易に回転するように駆動され、さらに二個の位置決め溝３ｅにより構成される収容溝３は矩形に近似する形状に形成されるため、少なくとも一個のブロックゲージ４ｅは位置決め溝３ｅを構成する周壁によって固く挟持するように形成される。
【００３０】
再び図１、３を参照すると、予定の直径Ｄを有するねじリングゲージが長期に使用されると、本体１の内環状面１３は摩耗によって計測内表面の内径（Ｄ）が大きくなって所定の規格に符合しなくなった時、調整部材２を調整するだけで、本体１の隙間１０を大きくし、すなわち直径Ａ１を有する少なくとも一個のブロックゲージ４ｅを取り出し、そして比較的小さい直径Ａ２を有する少なくとも一個のブロックゲージ４ｅを二個の位置決め溝３ｅと二個の位置決め溝３ｅの間に位置する隙間によって共同で形成した収容溝３の内に新たに置き入れ、さらに再び調整部材２の固定によって、比較的小さい直径Ａ２を有する少なくとも一個のブロックゲージ４ｅは堅固に挟持される。このように、本体１の内環状面１３を元々の設定された計測内表面の内径Ｄに戻すことができる。
【００３１】
このように、逐次に少しずつ減らされた直径（Ａ１、Ａ２、Ａ３…）を有する少なくとも一個のブロックゲージ４ｅを取り替えることにより、そして調整部材２を少なくとも一個のブロックゲージ４ｅに堅固に挟持されるまで調整することにより、本体１の内環状面１３を設定する計測内表面の内径Ｄに確定することができる。このため、本考案のねじリングゲージによれば使用上および操作上の便利性を有効に高めることができる。本考案において、ねじリングゲージ、少なくとも一個のブロックゲージ４ｅの取り換え可能な回数は好ましくは３回から４回に設定した方が好ましい。
【００３２】
このように、本考案のねじリングゲージにおいては、ねじリングゲージ本体の計測内表面の内径を簡単に校正することができる外に、調整部材２を簡単に螺合することもできるため、少なくとも一個のブロックゲージ４ｅは確実に収容溝３に挟持されることにより、本体１の第一ブロック１１と第二ブロック１２に軸方向への偏移が生じるのを防止することができると同時に、置き入れられた少なくとも一個のブロックゲージ４ｅは所定の位置に確実に位置決めされることにより、少なくとも一個のブロックゲージ４ｅが偏ったりまたは脱落したりするのを防止することができる。
【実施例２】
【００３３】
図５は本考案の実施例２によるねじリングゲージの分解斜視図で、図６は本考案の実施例２によるねじリングゲージの側面図である。図５、６を参照すると、本考案の実施例２のねじリングゲージが掲示され、ねじリングゲージの本体１には、実施例１と同様に、隙間１０、第一ブロック１１、第二ブロック１２、内環状面１３、外環状面１４、第一孔１５、第二孔１６と少なくとも一個の緩衝スリット１７が設けられる。さらに本体１において第一ブロック１１と第二ブロック１２が形成される二個の端面にはそれぞれ一個の位置決め溝３ｆが設置され、二個の位置決め溝３ｆは互いに相対するように凹設される。隙間１０において第一ブロック１１と第二ブロック１２の末端の端面の間には間隙Ｐが形成され、二個の位置決め溝３ｆと二個の位置決め溝３ｆの間に位置する隙間は共同で収容溝３を形成し、収容溝３の形状は矩形に近似した形状に形成される。
【００３４】
調整部材２には結合端２１と作動端２２が含まれる。結合端２１の外周面にはねじ山が設置されることにより、第一孔１５に対応するように螺合することができるため、調整部材２は結合端２１によって第二孔１６を貫穿し、そして作動端２２によって工具を利用して回転するように駆動することにより、調整部材２の結合端２１を第一孔１５に螺合することができ、本体１に設けられる隙間１０の両末端を遠ざけさせたり近寄らせたりすることができる。
【００３５】
少なくとも一個のブロックゲージ４ｆは二個の位置決め溝３ｆの内に収容される。少なくとも一個のブロックゲージ４ｆは選択的に円形柱に形成され、そして少なくとも一個のブロックゲージ４ｆは所定の直径Ａ１、Ａ２、Ａ３…等を有するように形成される。実施例２において、少なくとも一個のブロックゲージ４ｆは所定の軸方向の長さを有し、上記長さは二個の位置決め溝３ｆと二個の位置決め溝３ｆの間に位置する隙間が共同で形成する収容溝３の深さより小さい。そして少なくとも一個のブロックゲージ４ｆそのものには半径方向の貫穿孔４１が設けられ、貫穿孔４１は本体１の第一孔１５と第二孔１６に対応するように形成される。さらに貫穿孔４１は調整部材２の結合端２１が通過するのに用いられる。
【００３６】
図７は本考案の実施例２によるねじリングゲージの組み立てられた状態の側面図である。図７を参照すると、本考案の実施例２のねじリングゲージの使用状態が掲示される。少なくとも一個のブロックゲージ４ｆは本体１の二個の位置決め溝３ｆと二個の位置決め溝３ｆの間に位置する隙間が共同で形成する収容溝３の内に置き入れられ、さらに少なくとも一個のブロックゲージ４ｆの貫穿孔４１を本体１の第一孔１５と第二孔１６に対応させる。調整部材２の結合端２１は順序よく第二孔１６と貫穿孔４１を通過し、そして第一孔１５に螺合される。このように、少なくとも一個のブロックゲージ４ｆは確実に収容溝３に挟持されることにより、本体１の第一ブロック１１と第二ブロック１２に軸方向への偏移が生じるのを防止することができると同時に、置き入れられた少なくとも一個のブロックゲージ４ｆは所定の位置に確実に位置決めされることにより、少なくとも一個のブロックゲージ４ｆが偏ったりまたは脱落したりするのを防止することができる。
【００３７】
当然として、本体１の内環状面１３は摩損によって計測内表面の内径Ｄが大きくなって所定の規格に符合していない時、実施例１と同様に少なくとも一個のブロックゲージ４ｆを取り換えることにより、本体１の計測内表面の内径Ｄを制御することは、従来のその技術分野を熟知したものには予期できるものである。
【実施例３】
【００３８】
図８は本考案の第３実施例によるねじリングゲージの分解斜視図で、図９は本考案の第３実施例によるねじリングゲージの組み立てられた状態の側面図である。図８、９を参照すると、本考案の実施例３のねじリングゲージが掲示され、ねじリングゲージの本体１には、実施例１と同様に、隙間１０、第一ブロック１１、第二ブロック１２、内環状面１３、外環状面１４、第一孔１５、第二孔１６と少なくとも一個の緩衝スリット１７が設けられる。さらに本体１において第一ブロック１１と第二ブロック１２が形成される二個の端面にはそれぞれ一個の位置決め溝３ｇが設置され、二個の位置決め溝３ｇは互いに相対するように凹設される。隙間１０において第一ブロック１１と第二ブロック１２の末端の端面の間には間隙Ｐが形成され、二個の位置決め溝３ｇと二個の位置決め溝３ｇの間に位置する隙間は、共同して収容溝３を形成し、収容溝３の形状は矩形に近似した形状に形成される。
【００３９】
調整部材２には結合端２１と作動端２２が含まれる。結合端２１の外周面にはねじ山が設置されることにより、第一孔１５に対応するように螺合することができるため、調整部材２は結合端２１によって第二孔１６を貫穿し、そして作動端２２によって工具を利用して回転するように駆動することにより、調整部材２の結合端２１を第一孔１５に螺合することができ、本体１に設けられる隙間１０の両末端を遠ざけさせたり近寄らせたりすることができる。
【００４０】
実施例３において、二個の位置決め溝３ｇと二個の位置決め溝３ｇの間に位置する隙間が共同で形成する収容溝３の内に二個のブロックゲージ４ｇ、４ｇ’を置き入れることができ、二個のブロックゲージ４ｇ、４ｇ’は選択的に円形柱に形成され、さらに二個のブロックゲージ４ｇ、４ｇ’は同じ所定の直径Ａ１、Ａ２、Ａ３…等を有するように形成される。
【００４１】
再び図９を参照すると、本考案の実施例３のねじリングゲージの使用状態が掲示される。先ずブロックゲージ４ｇを収容溝３の内に置き入れ、それから調整部材２の結合端２１を第二孔１６から通過させ、そして第一孔１５に螺合させる。調整部材２が未だきつく螺合される前に、再びもう一個のブロックゲージ４ｇを上述した収容溝３の内に置き入れてから、再び調整部材２をきつく螺合する。このように、二個のブロックゲージ４ｇ’、４ｇは確実に収容溝３に挟持されることにより、本体１の第一ブロック１１と第二ブロック１２に軸方向への偏移が生じるのを防止することができると同時に、ブロックゲージ４ｇ’が脱落するのを防止することができる。
【００４２】
当然として、本体１の内環状面１３は摩損によって計測内表面の内径Ｄが大きくなって所定の規格に符合していない時、実施例１と同様に、二個のブロックゲージ４ｇ’、４ｇを取り換えることにより、本体１の計測内表面の内径Ｄを制御することは、従来のその技術分野を熟知したものには予期できるものである。
【産業上の利用可能性】
【００４３】
上述の如く、本考案のねじリングゲージによれば、ブロックゲージを簡単に取り換えることができるため、本考案のねじリングゲージ本体の計測内表面の内径を簡単に校正することができる。
【００４４】
本考案のねじリングゲージによれば、ねじリングゲージの計測内表面の内径を一つの校正の寸法に固定することができるため、本考案のねじリングゲージは精確な計測内表面の内径を有することができる。
【００４５】
本考案のねじリングゲージによれば、ねじリングゲージの計測内表面の内径を繰り返して校正することにより、ねじリングゲージは比較的長い使用寿命を有するため、ねじリングゲージのコストを低く抑えることができる。
【００４６】
本考案のねじリングゲージによれば、ブロックゲージを収容溝の底部に沈設することができるため、ねじリングゲージの調整部材の調整がさらに簡単になる。
【００４７】
本考案のねじリングゲージによれば、ブロックゲージには調整部材の結合端が通過するための貫穿孔が設けられるため、ねじリングゲージの両端に軸方向への偏移が生じるのを避けることができるとともに、ブロックゲージが偏ったり脱落したりするのを防止することができる。
【００４８】
本考案は、その精神とび必須の特徴事項から逸脱することなく他のやり方で実施することができる。従って、本明細書に記載した好ましい実施例は例示のなものであり、限定のなものではない。
【符号の説明】
【００４９】
１    本体
１０    隙間
１１    第一ブロック
１２    第二ブロック
１３    内環状面
１４    外環状面
１５    第一孔
１６    第二孔
１７    緩衝スリット
２    調整部材
２１    結合端
２２    作動端
３    収容溝
３ｅ、３ｆ、３ｇ    位置決め溝
４ｅ、４ｆ、４ｇ、４ｇ’    ブロックゲージ
４１    貫穿孔
Ｐ    隙間
Ｄ    計測内表面の内径
Ａ１、Ａ２、Ａ３    直径
【図１】
0003154928.tif 000003
【図２】
0003154928.tif 000004
【図３】
0003154928.tif 000005
【図４】
0003154928.tif 000006
【図５】
0003154928.tif 000007
【図６】
0003154928.tif 000008
【図７】
0003154928.tif 000009
【図８】
0003154928.tif 000010
【図９】
0003154928.tif 000011